(57)【特許請求の範囲】
【請求項１】
溜め池（Ｌ）の熱エネルギーを採取するために，該溜め池にスパイラルパイプ（Ｐ）を搬入するための装置であって、道路（Ｒ）から溜め池に至る下降傾斜面（Ｓ）に添って，直線傾斜状に骨組みした架台（１０）と、前記架台上に固定され，両側端部に，一定間隔で複数の車輪（２１）を回転自在に設けた固定台車（２０）と、前記スパイラルパイプを上面に載置すると共に，両側端部に，前記固定台車の車輪を受けるガイドレール（３２）を有し，自重によって前方に下降移動する移動台車（３０）と、前記架台または固定台車に取付けられ，前記移動台車に掛止して該移動台車の下降移動を一時的に阻止する掛止機構（４０）と、からなり、前記スパイラルパイプを溜め池に搬入した後、該スパイラルパイプを溜め池の水上に浮遊させ、前記移動台車をその自重で沈めることによって、前記スパイラルパイプ前記移動台車から自動的に降ろしてなるスパイラルパイプ搬入装置。
【発明の詳細な説明】
【０００１】
【発明の属する技術分野】
本発明は、池、湖、ダム湖あるいは貯水池等のいわゆる溜め池の熱エネルギーを採取するために、溜め池内に設置するスパイラルパイプを、当該溜め池内に搬入するための装置に関するものである。
【０００２】
【従来の技術】
本発明者らは、これまでに、杭熱交換方式による地中熱利用システムを利用した熱供給システムを開発し、それを建物の冷暖房給湯設備や道路融雪に導入してきた。
【０００３】
そして、近年では、農村や山村地域において、主に農業用水を確保するための池や貯水池等のいわゆる溜め池が多く存在していることに着目し、溜め池内の熱エネルギーを利用したポンド内熱交換方式による熱供給システムの開発を進めている。
【０００４】
この熱供給システムも、建物の冷暖房や道路融雪に使用することができる。例えば、建物の冷暖房に使用する場合は、図５に示すように、主として、溜め池Ｌの底に設置したポリエチレン製のスパイラルパイプＰと、そのパイプＰと連結し、建物内に据え付けたヒートポンプＴとで構成する。そして、冬期は、溜め池Ｌ底部のスパイラルパイプＰに不凍液を循環させ、溜め池Ｌ内の熱エネルギーを吸収してヒートポンプＴの熱源とし、当該ヒートポンプＴから温水又は温風を室内に供給し、建物の暖房や給湯を行なう。また、夏期は、ヒートポンプＴによって室内の冷房を行なうことにより生じる排熱を、スパイラルパイプＰを循環する不凍液により溜め池Ｌ内へ放出し、冷却を図る。
【０００５】
また、この熱供給システムを道路融雪に使用するには、図１に示すように、道路Ｒの地表部分に放熱管Ｈを埋設し、その放熱管Ｈと溜め池Ｌに配置したスパイラルパイプＰとを連結し、循環ポンプによって不凍液を循環して、溜め池Ｌで採取した熱を放熱管Ｈで放出することにより路面の雪を融かす。
【０００６】
【発明が解決しようとする課題】
この熱供給システムを配備するためには、スパイラルパイプＰを溜め池Ｌの底部に配置する必要がある。しかし、これを人手によって行うことはきわめて厄介である。通常、このスパイラルパイプＰは、その径が２０ｍｍ程度で、全長が１００ｍにもおよぶため、人手で持ち上げることができない。一つのシステムを構築するためには多数のスパイラルパイプＰを使用する必要があり、それら全てのスパイラルパイプＰを人手によって溜め池Ｌの底部に搬入することは不可能である。
【０００７】
また、クレーン装置を使用して行うことも考えられるが、道路Ｒから溜め池Ｌまでの距離が長い場合が多いため、それも困難である。
【０００８】
本発明はこうした問題に鑑み創案されたもので、溜め池内の熱エネルギーを利用したポンド内熱交換方式による熱供給システムに使用するスパイラルパイプを、溜め池内に容易に搬入することのできる装置を提供することを課題とする。
【０００９】
【課題を解決するための手段】
図１乃至図４を参照して説明する。本発明は、溜め池Ｌの熱エネルギーを採取するために、該溜め池ＬにスパイラルパイプＰを搬入するための装置であって、道路Ｒから溜め池Ｌに至る下降傾斜面Ｓに添って、直線傾斜状に骨組みした架台１０と、前記架台１０上に固定され、両側端部に、一定間隔で複数の車輪２１を回転自在に設けた固定台車２０と、前記スパイラルパイプＰを上面に載置すると共に、両側端部に、前記固定台車２０の車輪２１を受けるガイドレール３２を有し、自重によって前方へ下降移動する移動台車３０と、前記架台１０または固定台車２０に取付けられ、前記移動台車３０に掛止して該移動台車３０の下降移動を一時的に阻止する掛止機構４０と、からなり、前記スパイラルパイプＰを溜め池Ｌに搬入した後、当該スパイラルパイプＰを溜め池Ｌの水上に浮遊させ、前記移動台車３０をその自重で沈めることによって、当該スパイラルパイプＰを前記移動台車３０から自動的に降ろしてなる。
【００１０】
【発明の実施の形態】
本発明に係るスパイラルパイプ搬入装置１の実施形態を、図１乃至図４に示す。これは、道路Ｒの雪を融かす目的で、溜め池Ｌの熱エネルギーを採取するために、当該溜め池ＬにスパイラルパイプＰを搬入するための装置であり、架台１０、固定台車２０、移動台車３０および掛止機構４０とで構成される。
【００１１】
架台１０は、道路Ｒからその前方の溜め池Ｌに至る下降傾斜面Ｓに添って、左右両側に縦パイプ１１をほぼ等間隔で立設し、その左右それぞれの縦パイプ１１に直線傾斜状に傾斜パイプ１２を固定し、さらに、その左右両側の傾斜パイプ１２間にほぼ等間隔で横パイプ１３を架設して構成している。
【００１２】
固定台車２０は、架台１０上に固定され、その両側端部のそれぞれに、一定間隔で複数の車輪（ゴム車）２１を回転自在に設けて構成している。この固定台車２０は、複数の小台車２０ａから構成し、それらを取付け現場でボルトや溶接等によって連結することができる。
【００１３】
移動台車３０は、複数の分割台車３０ａを、固定台車２０上に直列状に複数設け、溶接やボルトで連結して構成している。この移動台車３０は、その平板状の本体部３１の上面にスパイラルパイプＰを載置する。また、本体部３１の両側端部に、固定台車２０のゴム車２１を受ける逆さ凹状のガイドレール３２を固定し、その自重によって、ゴム車２１を回転させながら、前方の溜め池Ｌに向かって下降移動するものである。
【００１４】
また、掛止機構４０は固定台車２０に取付けられ、移動台車３０の前端に掛止して移動台車３０の下降移動を一時的に阻止する。この掛止機構４０の構造は限定されるものではない。例えば、シリンダーを使用し、そのロッドを伸張して移動台車３０を掛止し、収縮してその掛止を解除することができる。また、棒材の上端部で移動台車３０を掛止すると共に、その下端部を固定台車２０に軸止し、当該軸止部分を軸に回動することによって移動台車３０との掛止し、およびその解除を行うことができる。
【００１５】
このスパイラルパイプ搬入装置１の作用について説明する。まず、当該搬入装置１における架台１０と固定台車２０を、道路Ｒから溜め池Ｌに至る下降傾斜面Ｓに設けて、その固定台車２０の上に移動台車３０を載せる。このとき、移動台車３０の例えば前端部を掛止機構４０によって掛止し、前方に移動しないようにしておく。この状態で、移動台車本体部３１の前端部から順に、スパイラルパイプＰを、クレーン装置等を使用して載せる。なお、スパイラルパイプＰは、トラック等に載せて当該場所の道路Ｒまで搬送する。
【００１６】
スパイラルパイプＰを移動台車３０に載せ終わった後、掛止機構４０の掛止を解除する。これにより、移動台車３０がその自重によって下降傾斜面Ｓを前方へ移動し、溜め池Ｌへ着水する。この際、移動台車３０には、固定台車２０のゴム車２１を受けるガイドレール３２を設けているので、当該移動台車３０は蛇行することなく円滑かつ直線的に前進移動する。
【００１７】
溜め池Ｌへ着水した移動台車３０はその自重によって溜め池Ｌの浅瀬で沈み、逆に、スパイラルパイプＰはパイプ内に空気が存在するので水上に浮遊する。従って、スパイラルパイプＰを移動台車３０から自動的に降ろすことができる。なお、このスパイラルパイプＰ内に水が侵入するのを防止するために、スパイラルパイプＰの両端開口部を栓で閉じることもできる。
【００１８】
また、損傷しやすいゴム車２１は、固定台車２０に設けることとし、移動台車３０には設けていないので、移動台車３０が溜め池Ｌに進入した際の衝撃によっ損傷したり、当該溜め池Ｌの水の影響で劣化が早まるといった事態を未然に回避することができる。
【００１９】
浅瀬に沈んだ移動台車３０はウインチ等で回収して再び固定台車２０上に載せ、新たなスパイラルパイプＰを搬入するために使用する。また、水上に浮遊したスパイラルパイプＰは、ボート等で目的の場所まで引っ張り、そこで溜め池Ｌの底部に沈める。このようにして、複数のスパイラルパイプＰを目的の場所に沈めた後、道路Ｒに設けた放熱管Ｈに連結管等を介して連結し、熱供給システムにおける熱エネルギーを採取するシステムとして使用する。
【００２０】
【発明の効果】
本発明に係るスパイラルパイプ搬入装置１は、架台１０および固定台車２０上に載せた移動台車３０によってスパイラルパイプＰを溜め池Ｌに搬入するので、その作業が容易である。また、道路Ｒから溜め池Ｌまでの距離が長く、クレーン装置等が使用できない場合でも、容易に搬入することができる。
【００２１】
さらに、スパイラルパイプＰを溜め池Ｌの水上に浮遊させ、移動台車３０をその自重で沈めることによって、当該スパイラルパイプＰを移動台車３０から自動的に降ろすこととしているので、搬入作業が容易である。
【００２２】
また、固定台車２０に車輪２１を設け、移動台車３０にその車輪２１を受けるガイドレール３２を設けているので、移動台車３０を蛇行させることなく確実に溜め池Ｌへ着水させることができると共に、損傷しやすい車輪２１（特にゴム車の場合）を水や衝撃から保護することができる。従って、耐久性に優れる。
【図面の簡単な説明】
【図１】  本発明に係る搬入装置の実施形態およびその周辺を示す側面図である。
【図２】  本発明の実施形態を示す側面図である。
【図３】  図１および図２に示す実施形態の正面図である。
【図４】  図１および図２に示す実施形態の平面図である。
【図５】  スパイラルコイルを使用した熱供給システムの一例を示す構成図である。
【符号の説明】
１    スパイラルパイプ搬入装置
１０    架台
１１    縦パイプ
１２    傾斜パイプ
１３    横パイプ
２０    固定台車
２０ａ  小台車
２１    車輪（ゴム車）
３０    移動台車
３０ａ  分割台車
３１    本体部
３２    ガイドレール
４０    掛止機構
Ｐ    スパイラルパイプ
Ｌ    溜め池
Ｓ    下降傾斜面
Ｒ    道路
Ｈ    放熱管
Ｔ    ヒートポンプ
【図１】
0003823208.tif 000002
【図２】
0003823208.tif 000003
【図３】
0003823208.tif 000004
【図４】
0003823208.tif 000005
【図５】
0003823208.tif 000006